【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
遊技者が所持する遊技用記録媒体に対応付けて、複数の貸与レートの遊技媒体を管理する遊技媒体管理装置と、前記遊技媒体管理装置と通信可能であって遊技台に対応して設けられる遊技用装置とを含む遊技用システムであって、
前記遊技媒体管理装置で管理されている所定の貸与レートの遊技媒体を当該貸与レートの遊技媒体として遊技台において使用可能にする第１の使用可能化処理を行う第１の使用可能化処理手段と、
前記所定の貸与レートの遊技媒体を当該貸与レートとは異なる貸与レートの遊技媒体として遊技台において使用可能にする第２の使用可能化処理を行う第２の使用可能化処理手段と、
遊技者の所定の操作を受け付ける操作受付手段と、
前記操作受付手段により操作を受け付けたことに基づいて、前記第２の使用可能化処理の有効又は無効を設定記憶する設定記憶手段と、
前記第２の使用可能化処理に使用可能な遊技媒体数を表示する表示手段と、
を備えたことを特徴とする遊技用システム。
【手続補正２】
【補正対象書類名】明細書
【補正対象項目名】０００１
【補正方法】変更
【補正の内容】
【０００１】
本発明は、遊技者が所有するレートの異なる遊技媒体数を遊技台において使用するための遊技用システムに関する。
【手続補正３】
【補正対象書類名】明細書
【補正対象項目名】０００４
【補正方法】変更
【補正の内容】
【０００４】
しかしながら、特許文献１の処理装置にあっては、会員カードを受付けた後に該処理装置において、１玉（１枚）当りのレートが異なる貯玉と貯メダルのいずれを使用する必要があった。
【手続補正４】
【補正対象書類名】明細書
【補正対象項目名】０００５
【補正方法】変更
【補正の内容】
【０００５】
本発明は、このような問題点に着目してなされたもので、遊技者の利便性を向上することのできる遊技用システムを提供することを目的とする。
【手続補正５】
【補正対象書類名】明細書
【補正対象項目名】０００６
【補正方法】変更
【補正の内容】
【０００６】
上記課題を解決するために、本発明の請求項１に記載の遊技用システムは、
遊技者が所持する遊技用記録媒体に対応付けて、複数の貸与レートの遊技媒体を管理する遊技媒体管理装置と、前記遊技媒体管理装置と通信可能であって遊技台に対応して設けられる遊技用装置とを含む遊技用システムであって、
前記遊技媒体管理装置で管理されている所定の貸与レートの遊技媒体を当該貸与レートの遊技媒体として遊技台において使用可能にする第１の使用可能化処理を行う第１の使用可能化処理手段と、
前記所定の貸与レートの遊技媒体を当該貸与レートとは異なる貸与レートの遊技媒体として遊技台において使用可能にする第２の使用可能化処理を行う第２の使用可能化処理手段と、
遊技者の所定の操作を受け付ける操作受付手段と、
前記操作受付手段により操作を受け付けたことに基づいて、前記第２の使用可能化処理の有効又は無効を設定記憶する設定記憶手段と、
前記第２の使用可能化処理に使用可能な遊技媒体数を表示する表示手段と、
を備えたことを特徴としている。
この特徴によれば、遊技者の利便性を向上することができる。
本発明の手段１に記載の遊技用システムは、
遊技者が所定のサービス（再プレイ、景品交換）に使用可能な遊技媒体数（貯玉数）を特定可能な遊技媒体数特定情報（会員ＩＤ、貯玉数データ）と、該遊技媒体数を前記所定のサービスに使用するときのレートを特定可能なレート特定情報（レートフラグ）を記憶するための記憶手段（メモリ１０４）を備え、該遊技者が携行可能とされた携帯端末（携帯電話機５）と、
遊技場に設置され、前記遊技媒体数特定情報から特定される遊技媒体数を所定のサービスに使用するための使用処理（貯玉再プレイ処理、余剰玉再プレイ処理、通常景品交換処理、特定景品交換処理）を行う遊技媒体使用処理装置（玉貸ユニット２０ａ，２０ｂ、景品交換用ＰＯＳ端末６０）と、
から成る遊技用システムであって、
前記携帯端末は、前記レート特定情報から特定されるレートのうち、いずれのレートの遊技媒体数を前記使用処理に使用するかの指定を、前記遊技者から予め受付けるためのレート指定受付け手段（制御部１５５、貯玉使用プログラム、画面Ｄ９）と、前記遊技媒体使用処理装置におけるサービスのうち、特定景品への交換サービスを利用する旨を、前記遊技者から予め受付けるための利用サービス受付け手段と、前記利用サービス受付け手段における前記交換サービスを利用する旨の受付けを条件に、特定景品への交換サービスを利用する旨を示す特定景品利用情報を、前記レート指定受付け手段にて指定されたレートのレート特定情報と遊技媒体数特定情報とともに、前記遊技媒体使用処理装置の利用に際して該遊技媒体使用処理装置に送信する送信手段（非接触ＩＣチップ１００）と、を備え、
前記遊技媒体使用処理装置は、前記送信手段から送信される少なくとも前記遊技媒体数特定情報と前記レート特定情報とを受信する受信手段（携帯電話Ｒ／Ｗ２５、共用リーダ／ライタ６３０）を備え、該受信手段にて受信したレート特定情報から特定されるレートと当該レートの遊技媒体数を特定し、前記使用処理として、該特定したレートに基づいて、該特定した遊技媒体数を所定のサービスに使用するための処理（貯玉再プレイ処理、余剰玉再プレイ処理、通常景品交換処理、特定景品交換処理）を行うとともに、前記受信手段にて前記送信手段から送信された特定景品利用情報を受信したときに、前記使用処理として、該特定景品利用情報とともに受信したレート特定情報から特定したレートに基づいて、該レート特定情報とともに受信した遊技媒体数特定情報から特定した遊技媒体数を特定景品との交換に使用するための処理を実施する
ことを特徴としている。
この特徴によれば、遊技者が携行する携帯端末において、使用処理に使用するレートの指定を予め受付け、該受付けたレートを特定可能なレート特定情報と遊技媒体数特定情報とが利用に際して遊技媒体使用処理装置に送信されるので、遊技媒体使用処理装置においてレートの指定を受付ける必要がなく、よって、一人当たりの遊技媒体使用処理装置における処理時間を短縮できる。また、遊技媒体使用処理装置が所定のサービスとして景品との交換サービスを行う装置である場合において、交換頻度の高い特定景品との交換に遊技媒体数を使用することを、遊技者が携行する携帯端末において予め受付けることにより、特定景品への交換サービスを利用する旨を示す特定景品利用情報が、利用に際して遊技媒体使用処理装置に送信されるので、遊技媒体使用処理装置において特定景品の指定を受付ける必要がなく、よって、一人当たりの遊技媒体使用処理装置における処理時間をさらに短縮できる。
【手続補正６】
【補正対象書類名】明細書
【補正対象項目名】０００７
【補正方法】変更
【補正の内容】
【０００７】
本発明の手段２に記載の遊技用システムは、手段１に記載の遊技用システムであって、
前記携帯端末（携帯電話機５）は、前記遊技媒体使用処理装置（景品交換用ＰＯＳ端末６０）におけるサービスのうち、特定景品への交換サービスを利用する旨（画面Ｄ７における２．特定景品（余り貯蓄なし）、或いは３．特定景品（余り貯蓄あり）の選択）を、前記遊技者から予め受付けるための利用サービス受付け手段（制御部１５５、貯玉使用プログラム、画面Ｄ７）を備え、
前記送信手段（非接触ＩＣチップ１００）は、前記利用サービス受付け手段における前記交換サービスを利用する旨の受付けを条件に、特定景品への交換サービスを利用する旨を示す特定景品利用情報（ＰＯＳ処理要求フラグ；特定景品交換（余剰玉貯蓄なし）フラグ「２」、特定景品交換（余剰玉貯蓄あり）フラグ「３」）を、前記レート特定情報と遊技媒体数特定情報とともに送信し、
前記遊技媒体使用処理装置は、前記受信手段（共用リーダ／ライタ６３０）にて前記送信手段から送信された特定景品利用情報を受信したときに、前記使用処理として、該特定景品利用情報とともに受信したレート特定情報から特定したレートに基づいて、該レート特定情報とともに受信した遊技媒体数特定情報から特定した遊技媒体数を特定景品との交換に使用するための処理（Ｓ６０９；特定景品交換処理）を実施することを特徴としている。
この特徴によれば、遊技媒体使用処理装置が所定のサービスとして景品との交換サービスを行う装置である場合において、交換頻度の高い特定景品との交換に遊技媒体数を使用することを、遊技者が携行する携帯端末において予め受付けることにより、特定景品への交換サービスを利用する旨を示す特定景品利用情報が、利用に際して遊技媒体使用処理装置に送信されるので、遊技媒体使用処理装置において特定景品の指定を受付ける必要がなく、よって、一人当たりの遊技媒体使用処理装置における処理時間をさらに短縮できる。
【手続補正７】
【補正対象書類名】明細書
【補正対象項目名】０００８
【補正方法】変更
【補正の内容】
【０００８】
本発明の手段３に記載の遊技用システムは、手段１または手段２に記載の遊技用システムであって、
前記携帯端末（携帯電話機５）は、前記遊技媒体使用処理装置（景品交換用ＰＯＳ端末６０）における景品との交換サービスにより発生した残遊技媒体数（残貯玉数）を前記遊技媒体数特定情報（会員ＩＤ、メモリ１０４に記憶されている貯玉数データ）から特定可能とする旨（画面Ｄ７における１．通常景品（余り貯蓄あり）、または３．特定景品（余り貯蓄あり）の選択）を、前記遊技者から予め受付けるための再使用受付け手段（制御部１５５、貯玉使用プログラム、画面Ｄ７）を備え、
前記送信手段（非接触ＩＣチップ１００）は、前記再使用受付け手段における前記残遊技媒体数を前記遊技媒体数特定情報から特定可能とする旨の受付けを条件に、景品との交換サービスにより発生する残遊技媒体数を前記遊技媒体数特定情報から特定可能とする旨を示す再使用情報（ＰＯＳ処理要求フラグ；通常景品交換（余剰玉貯蓄あり）フラグ「１」、特定景品交換（余剰玉貯蓄あり）フラグ「３」）を、前記レート特定情報と遊技媒体数特定情報とともに送信し、
前記遊技媒体使用処理装置は、前記使用処理として、前記受信手段（共用リーダ／ライタ６３０）にて受信した遊技媒体数特定情報から特定した遊技媒体数と、該遊技媒体数特定情報ともに受信したレート特定情報から特定したレートとに基づいて、該特定した遊技媒体数を景品との交換に使用するための処理（Ｓ６０５；通常景品交換処理、Ｓ６０９特定景品交換処理）と、前記受信手段にて該遊技媒体数特定情報とレート特定情報とともに前記再使用情報を受信したときには、該交換に使用した遊技媒体数が減算された残りの残遊技媒体数（残貯玉数）を前記遊技媒体数特定情報から特定可能とするための処理（Ｓ６０７、Ｓ６１１；余剰玉貯蓄処理）と、を行うことを特徴としている。
この特徴によれば、遊技媒体使用処理装置が所定のサービスとして景品との交換サービスを行う装置である場合において、景品との交換により発生する残遊技媒体数を前記遊技媒体数特定情報から特定可能とする旨を、遊技者が携行する携帯端末において予め受付けることにより、残遊技媒体数を前記遊技媒体数特定情報から特定可能とする旨を示す再使用情報が、利用に際して遊技媒体使用処理装置に送信されるので、遊技媒体使用処理装置において残遊技媒体数の処理内容の指定を受付ける必要がなく、よって、一人当たりの遊技媒体使用処理装置における処理時間をさらに短縮できる。
【手続補正８】
【補正対象書類名】明細書
【補正対象項目名】０００９
【補正方法】変更
【補正の内容】
【０００９】
本発明の手段４に記載の遊技用システムは、手段１〜手段３のいずれかに記載の遊技用システムであって、
前記遊技媒体使用処理装置（玉貸ユニット２０ａ，２０ｂ）が、前記遊技媒体数（貯玉数）を遊技に使用するための処理（貯玉再プレイ処理、余剰玉再プレイ処理）を行う遊技使用処理手段（制御部２２）を備え、
前記携帯端末（携帯電話機５）は、前記遊技媒体使用処理装置（景品交換用ＰＯＳ端末６０）における特定景品との交換サービスにより発生する残遊技媒体数（残貯玉数）を遊技に使用する旨を、前記遊技者から受付けるための残数遊技使用受付け手段（制御部１５５、貯玉使用プログラム、画面Ｄ６）を備え、
前記送信手段（非接触ＩＣチップ１００）は、前記残数遊技使用受付け手段における遊技に使用する旨の受付けを条件に、前記残遊技媒体数を遊技に使用する旨を示す残数遊技使用情報（ＴＵ処理要求フラグ；余剰玉再プレイフラグ「２」）と、当該遊技に使用する残遊技媒体数を特定可能な前記遊技媒体数特定情報（会員ＩＤ（実施形態１）、各レートの貯玉数データ（実施形態２））とを送信し、
前記遊技使用処理手段は、前記送信手段より送信された残数遊技使用情報を受信したときに、該残数遊技使用情報とともに受信した前記遊技媒体数特定情報から特定される残遊技媒体数を、当該遊技者が遊技に使用するための処理（Ｓ１４１、Ｓ１４１’；余剰玉再プレイ処理）を行うことを特徴としている。
この特徴によれば、特定景品との交換により発生する残遊技媒体数を、該特定景品との交換以前において、簡便に遊技に使用することができるので、遊技者の利便性を向上できる。
【手続補正９】
【補正対象書類名】明細書
【補正対象項目名】００１０
【補正方法】変更
【補正の内容】
【００１０】
本発明の手段５に記載の遊技用システムは、手段１〜４のいずれかに記載の遊技用システムであって、
前記携帯端末（携帯電話機５）は、少なくとも前記レート特定情報から特定される２以上のレートの遊技媒体数を前記使用処理に供する旨（２．統合の選択）を、前記遊技者から予め受付けるための統合使用受付け手段（制御部１５５、貯玉使用プログラム、画面Ｄ９）を備え、
前記送信手段（非接触ＩＣチップ１００）は、前記統合使用受付け手段における前記供する旨の受付けを条件に、前記レート特定情報（レートフラグ）として、少なくとも前記レート特定情報から特定される２以上のレートの遊技媒体数を前記使用処理に供する旨を示す統合使用情報（レートフラグ「２」）を送信し、
前記遊技媒体使用処理装置（玉貸ユニット２０ａ，２０ｂ、景品交換用ＰＯＳ端末６０）は、前記受信手段における前記統合使用情報の受信に応じて、前記少なくとも２以上のレートの遊技媒体数を使用した前記使用処理を行うことを特徴としている。
この特徴によれば、少なくとも２以上のレートの遊技媒体数をまとめて使用処理に使用できる。
【手続補正１０】
【補正対象書類名】明細書
【補正対象項目名】００１１
【補正方法】変更
【補正の内容】
【００１１】
本発明の手段６に記載の遊技用システムは、手段１〜５のいずれかに記載の遊技用システムであって、
前記携帯端末（携帯電話機５）は、前記レート指定受付け手段（制御部１５５、貯玉使用プログラム、画面Ｄ９）にて指定を受付けたレートを、再度、該レート指定受付け手段にて指定を受付けるまで保持し、
前記送信手段（非接触ＩＣチップ１００）は、前記保持されているレートのレート特定情報（レートフラグ）を送信することを特徴としている。
この特徴によれば、遊技者は、遊技媒体使用処理装置を利用する都度毎に、レートの指定を行う必要がなく、これらレートの指定に伴う遊技者の手間を省くことができる。
【手続補正１１】
【補正対象書類名】明細書
【補正対象項目名】００１２
【補正方法】変更
【補正の内容】
【００１２】
本発明の手段７に記載の遊技用システムは、手段１〜６のいずれかに記載の遊技用システムであって、
前記携帯端末（携帯電話機５）は、前記使用処理にて使用を希望する遊技媒体の数量である使用希望遊技媒体数（希望使用数）の指定を、前記遊技者から受付けるための使用希望数受付け手段（制御部１５５、貯玉使用プログラム、画面Ｄ８）を備え、
前記送信手段（非接触ＩＣチップ１００）は、前記使用希望数受付け手段にて受付けた使用希望遊技媒体数を特定可能な使用希望遊技媒体数特定情報（希望使用数）を、前記遊技媒体数特定情報とともに送信し、
前記遊技媒体使用処理装置（景品交換用ＰＯＳ端末６０）は、前記受信手段（共用リーダ／ライタ６３０）にて前記使用希望遊技媒体数特定情報を受信したときに、該受信した使用希望遊技媒体数特定情報から特定される使用希望遊技媒体数が、該使用希望遊技媒体数特定情報とともに受信した前記遊技媒体数特定情報から特定される遊技媒体数（貯玉数）を超過していることを条件に、使用希望遊技媒体数の使用が不能である旨のエラー報知を行うエラー報知手段（制御部６１０、Ｓ６１３；エラー報知処理）を備えることを特徴としている。
この特徴によれば、使用処理への使用を希望する使用希望遊技媒体数を、遊技者が携行する携帯端末において予め受付けることにより、該使用希望遊技媒体数を特定可能な使用希望遊技媒体数特定情報が利用に際して遊技媒体使用処理装置に送信されるので、遊技媒体使用処理装置において使用希望遊技媒体数の指定を受付ける必要がなく、よって、一人当たりの遊技媒体使用処理装置における処理時間を短縮できるとともに、遊技媒体数が使用希望遊技媒体数に満たない場合には、該遊技媒体数が不足していることを、遊技者に認識させることができる。
【手続補正１２】
【補正対象書類名】明細書
【補正対象項目名】００１３
【補正方法】変更
【補正の内容】
【００１３】
本発明の手段８に記載の遊技用処理装置は、
遊技者が携行可能とされた携帯端末（携帯電話機５）から、該携帯端末に記憶されている、該遊技者が所定のサービスに使用可能な遊技媒体数を特定可能な遊技媒体数特定情報（会員ＩＤ、貯玉数データ）を取得し、該取得した遊技媒体数特定情報から特定される遊技媒体数を所定のサービス（再プレイ、景品交換）に使用するための使用処理を行う、遊技場に設置された遊技媒体使用処理装置（玉貸ユニット２０ａ，２０ｂ、景品交換用ＰＯＳ端末６０）であって、
前記携帯端末に記憶されている、前記遊技媒体数を前記所定のサービスに使用するときのレートを特定可能なレート特定情報（レートフラグ）から特定されるレートのうち、前記遊技者により前記使用処理への使用が予め指定されたレートのレート特定情報と遊技媒体数特定情報とを、該遊技媒体使用処理装置の利用に際して該携帯端末から受信する受信手段（携帯電話Ｒ／Ｗ２５、共用リーダ／ライタ６３０）を備え、該受信手段にて受信したレート特定情報から特定されるレートと当該レートの遊技媒体数を特定し、前記使用処理として、該特定したレートに基づいて、該特定した遊技媒体数を所定のサービスに使用するための処理（貯玉再プレイ処理、余剰玉再プレイ処理、通常景品交換処理、特定景品交換処理）を行うことを特徴としている。
この特徴によれば、遊技者が携行する携帯端末において該遊技者から指定を予め受付けたレートを特定可能なレート特定情報と、遊技媒体数特定情報とを、利用に際して該携帯端末から受信するので、該遊技媒体使用処理装置においてレートの指定を受付ける必要がなく、よって、一人当たりの遊技媒体使用処理装置における処理時間を短縮できる。
【手続補正１３】
【補正対象書類名】明細書
【補正対象項目名】００１４
【補正方法】変更
【補正の内容】
【００１４】
本発明の手段９に記載の携帯端末は、
遊技者が携行可能とされた携帯端末（携帯電話機５）であって、遊技者が所定のサービス（再プレイ、景品交換）に使用可能な遊技媒体数（貯玉数）を特定可能な遊技媒体数特定情報（会員ＩＤ、貯玉数データ）と、該遊技媒体数を前記所定のサービスに使用するときのレートを特定可能なレート特定情報（レートフラグ）を記憶するための記憶手段（メモリ１０４）と、
遊技場に設置された遊技媒体使用処理装置における、前記遊技媒体数特定情報から特定される遊技媒体数を所定のサービスに使用するための使用処理（貯玉再プレイ処理、余剰玉再プレイ処理、通常景品交換処理、特定景品交換処理）に、前記レート特定情報から特定されるレートのうち、いずれのレートの遊技媒体数を使用するかの指定を、前記遊技者から予め受付けるためのレート指定受付け手段（制御部１５５、貯玉使用プログラム、画面Ｄ９）と、
該レート指定受付け手段にて指定されたレートのレート特定情報と遊技媒体数特定情報とを、前記遊技媒体使用処理装置の利用に際して該遊技媒体使用処理装置に送信する送信手段（非接触ＩＣチップ１００）と、
を備えることを特徴としている。
この特徴によれば、使用処理に使用するレートの指定を予め受付け、該受付けたレートを特定可能なレート特定情報と遊技媒体数特定情報とを利用に際して遊技媒体使用処理装置に送信するので、遊技媒体使用処理装置におけるレートの指定の受付けを省略でき、よって、一人当たりの遊技媒体使用処理装置における処理時間を短縮することのできる携帯端末を提供できる。
【手続補正１４】
【補正対象書類名】明細書
【補正対象項目名】００１５
【補正方法】変更
【補正の内容】
【００１５】
本発明の手段１０に記載の携帯端末用プログラムは、
遊技者が所定のサービス（再プレイ、景品交換）に使用可能な遊技媒体数（貯玉数）を特定可能な遊技媒体数特定情報（会員ＩＤ、貯玉数データ）と、該遊技媒体数を前記所定のサービスに使用するときのレートを特定可能なレート特定情報（レートフラグ）とが記憶され、該遊技者が携行可能とされた携帯端末（携帯電話機５）において実行される携帯端末用プログラム（貯玉使用プログラム）であって、
前記携帯端末を、
遊技場に設置された遊技媒体使用処理装置における、前記遊技媒体数特定情報から特定される遊技媒体数を所定のサービスに使用するための使用処理（貯玉再プレイ処理、余剰玉再プレイ処理、通常景品交換処理、特定景品交換処理）に、前記レート特定情報から特定されるレートのうち、いずれのレートの遊技媒体数を前記使用処理に使用するかの指定を、前記遊技者から予め受付けるためのレート指定受付け手段と、
該レート指定受付け手段にて指定されたレートのレート特定情報と遊技媒体数特定情報とを、前記遊技媒体使用処理装置の利用に際して該遊技媒体使用処理装置に送信する送信手段と、
して機能させることを特徴としている。
この特徴によれば、使用処理に使用するレートの指定を予め受付け、該受付けたレートを特定可能なレート特定情報と遊技媒体数特定情報とを利用に際して遊技媒体使用処理装置に送信するので、遊技媒体使用処理装置におけるレートの指定の受付けを省略でき、よって、一人当たりの遊技媒体使用処理装置における処理時間を短縮することのできる携帯端末を容易に提供できる。